(57)【要約】      （修正有）【課題】多気筒内燃機関における他気筒への燃料噴射、あるいは内燃機関の一つの気筒への直前の燃料噴射による燃圧低下を考慮し、インジェクタの駆動時間を設定するインジェクタ制御装置を提供する。【解決手段】インジェクタ制御装置のマイクロコンピュータ２０は、内燃機関の状態に応じたインジェクタ駆動時間を算出してインジェクタを駆動すると共に、上記内燃機関の状態に応じた目標燃圧を算出３１し、入力された実際の燃圧を上記目標燃圧にするように燃圧を上昇させる燃圧フィードバック制御を実行し、前回の燃圧を上昇させた時間から次回に燃圧を上昇させる時間までの間に、上記内燃機関の気筒で開始される噴射開始タイミングの燃圧を、前回に上昇した燃圧から、少なくとも駆動時間とあらかじめ適合された係数を用いて算出された燃圧低下量を順次減算して算出３８し、推定された噴射開始タイミングの燃圧を用いて噴射の駆動信号を生成３９する。【選択図】図３
2019190367.tif 000002
【特許請求の範囲】
【請求項１】
内燃機関の気筒に燃料を噴射するインジェクタを駆動制御するインジェクタ制御装置であって、
上記インジェクタ制御装置はマイクロコンピュータを備え、
上記マイクロコンピュータは、上記内燃機関の状態に応じたインジェクタ駆動時間を算出して上記インジェクタを駆動すると共に、
上記内燃機関の状態に応じた目標燃圧を算出し、入力された実際の燃圧を上記目標燃圧にするように燃圧を上昇させる燃圧フィードバック制御を実行し、
前回の燃圧を上昇させた時間から次回に燃圧を上昇させる時間までの間に、上記気筒で開始される噴射開始タイミングの燃圧を、前回に上昇した燃圧から、少なくとも駆動時間とあらかじめ適合された係数を用いて算出された燃圧低下量を順次減算して推定し、推定された噴射開始タイミングの燃圧を用いて噴射の駆動時間を算出することを特徴とするインジェクタ制御装置。
【請求項２】
上記前回の燃圧を上昇させた時間は、上記インジェクタに接続されたデリバリパイプへの供給燃料量を制御する燃圧制御アクチュエータの駆動終了タイミングに、予め設定した燃圧安定期間を加えたタイミングであることを特徴とする請求項１に記載のインジェクタ制御装置。
【請求項３】
上記インジェクタは、複数の気筒を備えた内燃機関のそれぞれの気筒に燃料を噴射するインジェクタであって、
上記インジェクタの燃料噴射期間が上記複数の気筒において重なる時は、上記燃料噴射期間の重複数が変化するごとに分割し、燃圧低下量を算出することを特徴とする請求項１または２に記載のインジェクタ制御装置。
【発明の詳細な説明】
【技術分野】
【０００１】
本願は、燃料を噴射するインジェクタを駆動制御するインジェクタ制御装置に関するものである。
【背景技術】
【０００２】
従来、筒内噴射型内燃機関において微粒子物質の排出を抑制するために、１回の燃料を複数回に分割して筒内に噴射する技術が知られている。このような分割噴射では、先行する噴射（例えば１回目噴射）の噴射量が、それに続く噴射（例えば２回目噴射）の噴射量に影響することも知られており、その噴射量に応じて続く噴射（例えば２回目噴射）の駆動時間を補正する技術が提案されている。
【０００３】
例えば特許文献１では、分割噴射時に１回目噴射により発生した燃料噴射または水撃作用による燃圧脈動をモデル化し、２回目噴射の圧力を推定して噴射量を補正する技術が開示されている。また、例えば特許文献２では、１回目噴射によって変化したアキュムレータの燃圧によって２回目噴射の噴射量を補正する技術が開示されている。
【先行技術文献】
【特許文献】
【０００４】
【特許文献１】特開２０１４−１８１６８０号公報
【特許文献２】米国特許出願公開第２０１６／０２９８５７０号明細書
【発明の概要】
【発明が解決しようとする課題】
【０００５】
一般的に、燃料噴射の駆動時間の設定は、燃料噴射を実施する行程の前の行程開始時点で、目標とする噴射量から燃圧に応じて設定される。例えば、吸気行程で噴射する場合には、直前の排気行程開始時に駆動時間が設定される。このとき、実際の噴射時の燃圧は未知であるため、駆動時間設定時の燃圧などを元に噴射時の燃圧を推定し、駆動時間が設定される。また、分割噴射時の２回目噴射は、１回目噴射の影響を考慮して２回目噴射の燃圧を推定し、駆動時間が設定される。
【０００６】
特許文献１では、燃圧モデルを使用して２回目噴射の燃圧を算出しているが、モデル演算は計算量が膨大となり計算負荷が大きい懸念がある。また、燃料噴射または水撃作用による燃圧脈動よりも、噴射による燃圧低下の方が燃料噴射量に対する影響が大きいことが実験的にわかっている。なぜなら、脈動周期よりも駆動時間の方が長く、脈動の影響は平均化されてしまうからである。また、上記燃圧モデルには他気筒の噴射による影響が説明されておらず、特に、他気筒と噴射タイミングが重なった場合、噴射量がおよそ２倍になるような状態での燃圧モデルが提示されていない。さらに、燃料ポンプなどにより燃圧が上昇する場合が記載されていないため、燃圧をどのように推定するか明確でない課題がある。
【０００７】
また、特許文献２では、初段噴射による燃圧変化により、２段目以降の噴射に補正が必要であることは開示されているが、各インジェクタに蓄圧タンク（アキュムレータ）を具備したものであり、ポンプから供給される高圧燃料を蓄えるコモンレール内の圧力、即ち、レール圧とアキュムレータ圧との差が大きいときには、アキュムレータ圧を採用して燃圧を推定するものであり、各インジェクタに蓄圧タンクがない場合、燃圧の推定方法が不明である。また、特許文献１と同様に他気筒の燃料噴射による影響について開示されておらず、特に、他気筒と噴射タイミングが重なった場合、更には燃料ポンプ等により燃圧が上昇する場合について開示されていない。このため、上記の場合に燃圧をどのように推定するか明確でない課題がある。
【０００８】
本願は、上記課題に鑑みてなされたもので、多気筒内燃機関における他気筒への燃圧噴射、あるいは内燃機関の一つの気筒への直前の燃圧噴射による燃圧低下を考慮し、インジェクタの駆動時間を設定するインジェクタ制御装置を提供するものである。
【課題を解決するための手段】
【０００９】
本願に開示されるインジェクタ制御装置は、内燃機関の気筒に燃料を噴射するインジェクタを駆動制御するインジェクタ制御装置であって、上記インジェクタ制御装置はマイクロコンピュータを備え、
上記マイクロコンピュータは、上記内燃機関の状態に応じたインジェクタ駆動時間を算出して上記インジェクタを駆動すると共に、上記内燃機関の状態に応じた目標燃圧を算出し、入力された実際の燃圧を上記目標燃圧にするように燃圧を上昇させる燃圧フィードバック制御を実行し、前回の燃圧を上昇させた時間から次回に燃圧を上昇させる時間までの間に、上記気筒で開始される噴射開始タイミングの燃圧を、前回に上昇した燃圧から、少なくとも駆動時間とあらかじめ適合された係数を用いて算出された燃圧低下量を順次減算して推定し、推定された噴射開始タイミングの燃圧を用いて噴射の駆動時間を算出する。
【発明の効果】
【００１０】
本願に開示されるインジェクタ制御装置によれば、多気筒内燃機関における他気筒への燃圧噴射、あるいは内燃機関の一つの気筒への直前の燃圧噴射による燃圧低下を考慮して噴射開始時の燃圧を推定し、インジェクタ駆動時間を設定するので、燃料噴射量を適正に制御することが可能となる。
【図面の簡単な説明】
【００１１】
【図１】実施の形態１に係るインジェクタとインジェクタ制御装置を模式的に表した概略断面図である。
【図２】実施の形態１に係るインジェクタ制御装置のハードウェア構成図である。
【図３】実施の形態１に係るインジェクタ制御装置のブロック構成図である。
【図４】実施の形態１に係るインジェクタ制御装置におけるインジェクタ駆動信号生成部の動作を説明する図である。
【図５】実施の形態１に係るインジェクタの駆動時間と燃圧変化を示すタイムチャートである。
【図６】実施の形態１に係るインジェクタ制御装置における予測燃圧算出部の燃圧低下量算出方法を説明する図である。
【図７】実施の形態１に係るインジェクタの駆動時間が重複した場合の燃圧低下量算出方法を説明する図である。
【図８】図５のタイムチャートに沿って燃圧予測計算を行った一例を示す図である。
【図９】実施の形態１に係るインジェクタ制御装置の噴射量演算処理を示すフローチャートである。
【図１０】実施の形態１に係るインジェクタ制御装置の燃圧推定演算処理を示すフローチャートである。
【発明を実施するための形態】
【００１２】
以下、本願に係るインジェクタ制御装置の好適な実施の形態について図面を用いて説明する。本実施の形態では、インジェクタ制御装置は内燃機関を制御する制御装置の一部を構成しており、インジェクタ駆動回路はインジェクタ制御装置に内蔵されている。なお、インジェクタ駆動回路はインジェクタ制御装置と別体構成とされてもよい。
実施の形態１．
【００１３】
図１は、実施の形態１に係るインジェクタ制御装置により制御されるインジェクタを模式的に表した概略断面図である。図１に示すように、インジェクタ１０は、弁座１１と、弁座１１に離間又は当接して燃料通路を開閉するニードル弁１２と、ニードル弁１２を開閉駆動するソレノイド１３とを備えている。また、インジェクタ１０は、ニードル弁１２のフランジ１４の閉弁方向Ａ側に配置され、ソレノイド１３の通電により生じた磁力により開弁方向Ｂに吸引される可動子１５と、可動子１５を開弁方向Ｂに付勢するゼロ位置スプリング１６と、ニードル弁１２を閉弁方向Ａに付勢し、ゼロ位置スプリング１６よりも付勢力の強い主スプリング１７とを備えている。更に、インジェクタ１０は、磁気コア１８、及びケース１９を備えている。ケース１９は筒状に形成され、インジェクタ１０の各構成部品を収容している。ソレノイド１３はボビンに巻回された円筒状のコイルにより構成されている。
【００１４】
ニードル弁１２は、閉弁方向Ａの先端が尖った棒状の部材である。ニードル弁１２の開弁方向Ｂの端部にはフランジ１４が設けられている。主スプリング１７は、ニードル弁１２の開弁方向Ｂ側に配置され、ニードル弁１２をケース１９に対して閉弁方向Ａに付勢している。ソレノイド１３が非通電になると、ニードル弁１２は、主スプリング１７の付勢力及び燃圧により閉弁方向Ａに移動し、ニードル弁１２の先端が弁座１１に設けられた噴射口に当接すると、噴射口を塞ぎ閉弁状態となる。
【００１５】
可動子１５は、円筒状に形成された磁性体であり、フランジ１４の閉弁方向Ａ側であって、ニードル弁１２の軸体の外周側に配置されている。可動子１５とニードル弁１２は相対移動可能にされている。ゼロ位置スプリング１６は、可動子１５の閉弁方向Ａ側に配置され、可動子１５をケース１９に対して開弁方向Ｂに付勢している。ゼロ位置スプリング１６の弾性力は、主スプリング１７の弾性力よりも小さくされている。可動子１５は、磁気コア１８の閉弁方向Ａ側に配置されている。ソレノイド１３が通電されると、磁気コア１８等に発生した磁力により、可動子１５が開弁方向Ｂ側に吸引される。これにより、可動子１５がニードル弁１２のフランジ１４に当接した状態で、可動子１５及びニードル弁１２が一体的に開弁方向Ｂに移動する。ニードル弁１２の先端が弁座１１から離れると、噴射口が開き開弁状態となる。
【００１６】
ソレノイド１３が非通電になると、磁気コア１８の磁力による可動子１５の開弁方向Ｂ側の吸引力がなくなり、主スプリング１７の閉弁方向Ａの付勢力により、ニードル弁１２が閉弁方向Ａに移動する。この時、フランジ１４が、可動子１５を閉弁方向Ａに押圧し、ニードル弁１２及び可動子１５は一体的に閉弁方向Ａに移動する。ニードル弁１２の先端が弁座１１に衝突すると、ニードル弁１２の移動は停止するが、可動子１５はフランジ１４から離れ、閉弁方向Ａに移動し続ける。その後、可動子１５は、ゼロ位置スプリング１６による開弁方向Ｂの付勢力により減速した後、開弁方向Ｂに移動し、再びフランジ１４に当接して停止する。インジェクタ制御装置２０は、インジェクタ１０を後述するように制御する。
【００１７】
図２は、インジェクタ制御装置２０のハードウェア構成図である。インジェクタ制御装置２０は各種のセンサまたはスイッチなどの入力要素、例えば燃圧センサ２１と、電気負荷などの出力要素２２に接続されている。インジェクタ制御装置２０の内部には、ハードウェア回路として、マイクロコンピュータ２３と、マイクロコンピュータ２３と燃圧センサ２１とを接続する入力回路２４と、マイクロコンピュータ２３と出力要素２２を接続する出力回路２５とを備えている。
【００１８】
本実施の形態では、入力回路２４には、インジェクタ１０に接続されたデリバリパイプ（図示せず）の燃圧を計測する燃圧センサ２１が接続されている。このほか、内燃機関の運転状態を検出するエアフローセンサ、スロットル開度センサ、クランク角センサ等の各種センサ（図示せず）が接続されている。
【００１９】
出力回路２５は、インジェクタ１０のソレノイド１３の正極端子及び負極端子に接続され、ソレノイド１３への通電を制御するインジェクタ駆動回路（図示せず）を備える。インジェクタ駆動回路は、ソレノイド１３への通電をオン・オフするスイッチング素子等により構成されている。なお、図示していないが、出力回路２５には、上記デリバリパイプ内の燃圧を目標値に制御するスピル弁等の燃圧制御アクチュエータ、内燃機関を制御するスロットルバルブの駆動モータ、及び点火コイル等の各種アクチュエータが接続される。本実施の形態では、複数のインジェクタ１０が備えられており、各インジェクタ１０に複数のインジェクタ駆動回路が備えられている。
【００２０】
次に、図３に示すブロック構成図を用いて、インジェクタ制御装置２０で実施される演算について説明する。インジェクタ制御装置２０は、実燃圧が目標燃圧となるようにスピル弁を駆動する燃圧Ｆ／Ｂ制御と、目標噴射量となるようにインジェクタ１０を駆動するインジェクタ制御とにより大別して構成されている。インジェクタ制御には、以下に説明するように、予測燃圧を算出してインジェクタ１０の駆動時間を補正する制御を含む。
【００２１】
図３において、インジェクタ制御装置２０は、スピル弁駆動タイミング算出部３０、目標燃圧算出部３１、実燃圧測定部３２、スピル弁駆動信号生成部３３、スピル弁通電制御部３４、目標噴射量算出部３５、燃圧上昇タイミング算出部３６、燃圧上昇タイミング間の噴射抽出部３７、予測燃圧算出部３８、インジェクタ駆動信号生成部３９、インジェクタ通電制御部４０を備えている。
【００２２】
スピル弁駆動タイミング算出部３０は、図示しないクランク角センサなどから、スピル弁を駆動するクランク角度を算出する。目標燃圧算出部３１は、内燃機関の運転状態から、目標とするデリバリパイプ内の燃圧を算出する。実燃圧測定部３２は、デリバリパイプに備えられた燃圧センサの信号から実際の燃圧を測定する。
【００２３】
スピル弁駆動信号生成部３３は、目標燃圧と実燃圧との偏差に応じて、スピル弁を駆動する角度に対応した、スピル弁の駆動開始タイミングと駆動終了タイミングとを算出し、マイクロコンピュータ２３の端子から駆動信号を出力する。スピル弁通電制御部３４は、この駆動信号に基づいてスピル弁を駆動する。
【００２４】
目標噴射量算出部３５は、内燃機関の運転状態から、各気筒について、どのクランク角度で、どれぐらいの燃料量を噴射すべきか算出する。ここでは、分割噴射数も含めて算出される。通常、この算出は、実際に噴射する前行程の開始タイミングで決定（スケジュール）される。
【００２５】
燃圧上昇タイミング算出部３６は、スピル弁が駆動された結果、燃圧上昇が終了したタイミング（以下、燃圧上昇タイミングという。）を算出する。燃圧上昇タイミングは、通常、スピル弁の駆動終了タイミングから少し遅れた時期となる。
【００２６】
燃圧上昇タイミング間の噴射抽出部３７は、前回の燃圧上昇タイミング、即ち、最後に燃圧上昇が終了したタイミングから、次回の燃圧上昇タイミング、即ち、次に予定されている燃圧上昇終了タイミングまでの間に、各気筒でどのような噴射がスケジュールされているかを抽出する。具体的には噴射開始と噴射終了のクランク角または時間の組である。
【００２７】
予測燃圧算出部３８は、先に開始される噴射から、順次、その噴射によって低下する燃圧量を算出し、スケジュールされた各噴射の開始タイミングでの燃圧を予測する。なお、予測燃圧算出部３８での燃圧低下量を算出する方法については後述する。
【００２８】
インジェクタ駆動信号生成部３９は、予測された燃圧と目標噴射量から、図４に従ってインジェクタ１０の駆動時間を算出し、駆動開始タイミングから駆動終了タイミングを算出し、クランク角度から得られる各タイミングでマイクロコンピュータ２３の端子から駆動信号を出力する。
【００２９】
インジェクタ通電制御部４０は、インジェクタ１０のソレノイド１３への通電を制御する。インジェクタ通電制御部４０は、ドライバＩＣ等を用いて、駆動信号に従ってソレノイド１３への通電と停止を行う。
【００３０】
図５は、燃圧の挙動を示すタイムチャートである。図５は、上段から高圧ポンプのスピル弁駆動信号、第２気筒のインジェクタ駆動信号、第１気筒のインジェクタ駆動信号、デリバリパイプの燃圧を示している。
高圧ポンプによるデリバリパイプへの燃料供給は、その構造によって定められる所定のクランク角度で行われ、スピル弁により、目標燃圧へフィードバック制御される。このため、チャート開始時点以前の、インジェクタ１０の駆動により、低下している燃圧はタイミングＡ１で目標燃圧に昇圧されている。
【００３１】
燃圧安定期間、即ち燃圧が安定するまでの待ち時間をとって、タイミングＡ２を燃圧推定演算タイミングとする。これは、スピル弁の駆動終了タイミングを基準に設定してもよいし、所定のクランク角度に設定してもよい。このタイミングＡ２において、次の燃圧推定演算タイミングＡ９までに駆動される全ての気筒におけるインジェクタ１０の駆動タイミングを取得し、燃圧低下量、即ち、各インジェクタ駆動開始時の燃圧を予測する。なお、各インジェクタ駆動開始時の燃圧を予測する方法の詳細については後述する。
【００３２】
タイミングＡ３において、今回のスピル弁駆動後の最初の噴射が行われる。この第２気筒のインジェクタ１０の駆動開始時の燃圧は、スピル弁駆動の最初であるため、目標燃圧と等しい。タイミングＡ３からＡ４までは、第２気筒のインジェクタ１０のみが駆動しており、その噴射量に応じて燃圧が低下する。
【００３３】
タイミングＡ４において、第１気筒のインジェクタ１０も噴射を開始するため、タイミングＡ４からタイミングＡ５までは２つのインジェクタ１０が駆動する。よって、両方の噴射量の合計に応じて燃圧が低下する。タイミングＡ５で第２気筒のインジェクタ１０が停止し、第１気筒のインジェクタ１０のみとなる。よって、タイミングＡ５からタイミングＡ６までは、第１気筒のインジェクタ１０の噴射量に応じて燃圧が低下する。
【００３４】
タイミングＡ６において、第１気筒のインジェクタ１０が停止し、全てのインジェクタ１０が停止するため、タイミングＡ６からタイミングＡ７までは、燃圧は変化しない。タイミングＡ７で第１気筒のインジェクタ１０が駆動開始し、その噴射量に応じて燃圧が低下し、タイミングＡ８で駆動停止となるため、燃圧低下も終了する。
【００３５】
ここまでが、今回の燃圧推定演算タイミングＡ２から次の燃圧推定演算タイミングＡ９までの全ての噴射である。やがて、次の高圧ポンプ駆動タイミングとなり、前述のとおり燃圧が目標燃圧まで昇圧され、所定の安定化待ち時間後、タイミングＡ９を迎える。ここで、次の燃圧推定演算タイミングまで、同様のメカニズムで燃圧挙動が繰り返される。上記は、燃圧の平均的な挙動を示しており、特許文献１に開示されている高周波の燃圧変動は示していない。
【００３６】
なお、上記の燃圧変動は、インジェクタ１０の駆動時間に比べて、短い周期で発生しているため、平均的な燃圧の高い低いが重要となる。また、他の気筒の駆動による燃圧変動が、反射または回析して伝わることをモデルで模擬することは、計算量が多く、その一方で正確さには相応の適合努力が必要となる。以上より、平均的な燃圧で十分であり、この平均的な燃圧挙動を模擬することができれば、各噴射開始時の燃圧が予測でき、目標噴射量に対する補正が可能となる。
【００３７】
具体的には、
（１）駆動時間に比例して、燃圧が低下する。
（２）低下率はどの気筒のインジェクタ１０も同じであり、影響先も駆動が重なる場合も同じである。
（３）高圧ポンプとスピル弁により、所定タイミングで目標燃圧に戻される。または、そのタイミングでの燃圧を測定する。
（４）噴射していないときは、燃圧は一定である。
を仮定すれば、燃圧が予測できる。
【００３８】
次に、予測燃圧算出部３８での燃圧低下量を算出する方法について説明する。図６は、予測燃圧算出部３８での燃圧低下量算出方法を説明する図で、駆動時間から燃圧低下量を算出する方法を示す図である。
【００３９】
図６に示すように、予め設定されたインジェクタ１０の噴射特性傾きＫと燃圧Ｐｓｔａｒｔ、及びインジェクタ駆動時間Ｔｏｎを用いて次式（１）から燃圧低下量Ｐｄｒｏｐを算出する。
Ｐｄｒｏｐ＝√（Ｐｓｔａｒｔ／Ｐｂａｓｅ）×Ｋ×Ｔｏｎ・・・（１）
ここで、インジェクタ１０の噴射特性傾きＫは、基準燃圧Ｐｂａｓｅ（例えば５ＭＰａ）におけるインジェクタ駆動時間Ｔｏｎと燃圧低下量Ｐｄｒｏｐとの関係を定める定数である。
【００４０】
なお、本実施の形態では、基準燃圧における、インジェクタ駆動時間Ｔｏｎと燃圧低下量Ｐｄｒｏｐの関係を比例関係としているが、マップ等による特性データとしてもよい。また、噴射特性傾きＫを基準燃圧Ｐｂａｓｅでの値とし、他の燃圧での低下量を燃圧の平方根の比で求めているが、複数の燃圧で噴射特性傾きＫを定めて線形補間等で算出してもよい。
【００４１】
更に、本実施の形態では、インジェクタ駆動時間Ｔｏｎから燃圧低下量Ｐｄｒｏｐを算出しているが、噴射量から燃圧低下量Ｐｄｒｏｐを算出してもよい。なぜなら、理想気体の状態方程式であるＰＶ＝ｎＲＴの関係から、燃圧低下量Ｐｄｒｏｐは噴射量、即ち、デリバリパイプ等の容積Ｖから排出された量ｎに比例するためである。なお、上記理想気体の状態方程式ＰＶ＝ｎＲＴにおいて、Ｔは熱力学温度、Ｐは圧力、ｎは物質量、Ｖは物質量ｎの理想気体が占める体積、Ｒはモル気体定数を示している。
【００４２】
ここで、噴射時間が重複した場合は、重複を角度または時間で判断することになり、その時間に応じて噴射量を分配することになるが、この演算分の計算量が増えるため、本実施の形態では、インジェクタ駆動時間Ｔｏｎから燃圧低下量Ｐｄｒｏｐを算出している。なお、本実施の形態では、インジェクタ駆動時間Ｔｏｎから燃圧低下量Ｐｄｒｏｐを算出したが、インジェクタ開弁時間から算出してもかまわない。インジェクタ開弁時間はインジェクタ駆動時間と比べ、燃料噴射量との相関性が高いためより正確な燃料推定値が算出可能となる。
【００４３】
図７を用いて、インジェクタ駆動時間Ｔｏｎが第２気筒と第１気筒で重複した場合の燃圧低下量Ｐｄｒｏｐの算出方法について説明する。
（１）まず、第２気筒と第１気筒において、目標噴射量から駆動時間を図４に基づいて算出し、図７（ａ）に示す第２気筒の駆動時間ｔ２と、図７（ｂ）に示す第１気筒の駆動時間ｔ１を得る。
（２）次に、第２気筒の駆動時間ｔ２と第１気筒の駆動時間ｔ１との重なりを抽出することにより、タイミングＡ３からＡ６が定まる。
（３）このタイミングＡ３からＡ６を回転数を用いて時間換算すると、時間Ｔ３からＴ６が得られ、第２気筒の駆動時間ｔ２１、ｔ２２と、第１気筒の駆動時間ｔ１１、ｔ１２が得られる。図７では、第２気筒のインジェクタ１０の噴射量をＱ２、第１気筒のインジェクタ１０の噴射量をＱ１として示している。
（３）最初の区間、即ち、タイミングＡ３までの区間から順次、タイミングＡ３からＡ４までの区間、タイミングＡ４からＡ５までの区間、タイミングＡ５からＡ６までの区間、タイミングＡ６以降の区間のそれぞれの区間において、最新の燃圧で駆動時間Ｔｏｎから燃圧低下量Ｐｄｒｏｐを図６に基づいて算出する。
（４）次に、この算出された燃圧低下量Ｐｄｒｏｐを直前の燃圧から減じて燃圧を更新する。これを繰り返して、タイミングＡ３からＡ６での燃圧を算出する。なお、第２気筒の駆動時間ｔ２２と、第１気筒の駆動時間ｔ１２の重なり区間であるタイミングＡ４からＡ５は、それぞれの燃圧低下量Ｐｄｒｏｐを加算する。
【００４４】
ここで、燃圧低下量Ｐｄｒｏｐを算出する簡便な方法について説明する。
図７において、タイミングＡ４からＡ６の燃圧を、タイミングＡ３の燃圧で行うと、計算は簡便となる。
図８は、タイミングＡ４からＡ６の燃圧を、タイミングＡ３の燃圧で行うと共に、予め設定された燃圧Ｐｓｔａｒｔと基準燃圧Ｐｂａｓｅとを等しい仮定した場合、即ち、Ｐｓｔａｒｔ＝Ｐｂａｓｅでの計算結果を示している。
また、第２気筒の駆動時間ｔ２２による燃圧低下量Ｐｄｒｏｐの燃圧は、タイミングＡ３での燃圧、第１気筒の駆動時間ｔ１２による燃圧低下量Ｐｄｒｏｐの燃圧はタイミングＡ４での燃圧として、噴射開始時点の燃圧をその噴射全体に適用することでもよい。この背景は、最終的には、燃圧予測は各噴射の開始時点の燃圧のみに簡便化しているためである。
【００４５】
図８は、図５のタイムチャートに沿って燃圧予測計算を行った一例を示す図である。ここでは、上記の簡便な方法を用いて、全ての燃圧をタイミングＡ３の燃圧で行うと共に、タイミングＡ３の燃圧を基準燃圧Ｐｂａｓｅとした場合の計算結果を示している。
図８において、燃圧推定演算タイミング（図５のタイミングＡ２）では、燃圧センサから読み取った実際の燃圧Ｐｒｅａｌ、または、燃圧Ｆ／Ｂ制御の目標燃圧Ｐｔｇｔを、予測燃圧の初期値とする。次の燃圧推定演算タイミング（図５のタイミングＡ９）でも、同様に予測燃圧を初期化する。
【００４６】
タイミングＡ３では、第２気筒の噴射が開始される。タイミングＡ２での燃圧低下量Ｐｄｒｏｐが０であるから、タイミングＡ２からタイミングＡ３での低下量はなく、タイミングＡ３での予測燃圧Ｐｐｒｅｄ［３］はタイミングＡ２と同じ、即ち、実際の燃圧Ｐｒｅａｌまたは燃圧Ｆ／Ｂ制御の目標燃圧Ｐｔｇｔとなる。また、タイミングＡ３からタイミングＡ４までの燃圧低下量Ｐｄｒｏｐは、図６に従い、Ｐｂａｓｅ＝Ｐｓｔａｒｔであるから、タイミングＡ３からタイミングＡ４までの時間（Ｔ４−Ｔ３）に、噴射特性傾きＫを乗じた値である。これを燃圧低下量Ｐｄｒｏｐ［３］へ代入しておく。
【００４７】
タイミングＡ４では、第２気筒の噴射を継続したまま、第１気筒の噴射が開始される。タイミングＡ４での予測燃圧は、タイミングＡ３の予測燃圧Ｐｐｒｅｄ［３］から、タイミングＡ３からタイミングＡ４までの燃圧低下量Ｐｄｒｏｐ［３］を減じた値となる。これを予測燃圧Ｐｐｒｅｄ［４］へ代入しておく。また、次のタイミングＡ５までの時間（Ｔ５−Ｔ４）に、第２気筒の燃圧低下量Ｐｄｒｏｐは、図６からＫ×（Ｔ５−Ｔ４）であり、第１気筒の燃圧低下量Ｐｄｒｏｐは、同じくＫ×（Ｔ５−Ｔ４）であるから、Ｐｄｒｏｐ［４］＝Ｋ×（Ｔ５−Ｔ４）×２となる。
【００４８】
タイミングＡ５では、第１気筒の噴射を継続したまま、第２気筒の噴射が終了する。タイミングＡ５での予測燃圧は、タイミングＡ４の予測燃圧Ｐｐｒｅｄ［４］から、タイミングＡ４からタイミングＡ５までの燃圧低下量Ｐｄｒｏｐ［４］を減じた値となる。これを予測燃圧Ｐｐｒｅｄ［５］へ代入しておく。また、次のタイミングＡ６までの時間（Ｔ６−Ｔ５）に、第１気筒の燃圧低下量Ｐｄｒｏｐ［５］は、Ｋ×（Ｔ６−Ｔ５）となる。
【００４９】
以下、このようにして、各タイミングでの燃圧が予測できる。スピル弁が駆動されて、燃圧が上昇したあと、タイミングＡ９において予測燃圧Ｐｐｒｅｄを初期化する。
【００５０】
本実施の形態では、噴射時に発生する水撃による燃圧脈動は考慮せず、燃料噴射によるデリバリパイプ内の燃圧低下と燃圧制御アクチュエータによる燃圧上昇のみを考慮して計算することで複数気筒の噴射が重なった場合においても計算が容易となり負荷の軽減が図れる。
【００５１】
次に、図９及び図１０に示すフローチャートに基づいて実施の形態１に係るインジェクタ制御装置２０の処理の手順、即ち、内燃機関の制御方法について説明する。
図９及び図１０に示す処理は、マイクロコンピュータ２３に記憶されたソフトウェア（プログラム）を実行することにより、所定の演算タイミングで繰り返し実行される。
【００５２】
先ず、噴射量演算処理について説明する。図９は、実施の形態１に係るインジェクタ制御装置の噴射量演算処理を示すフローチャートである。
図９のステップＳ１０１において、図示しない吸入空気量、または図示しないクランク角センサなどの内燃機関の運転状態に基づいて、各気筒に対し、分割噴射回数、及び各噴射における目標噴射量を算出する。続くステップＳ１０２で、燃圧制御の目標燃圧を仮の燃圧とする。続くステップＳ１０３では、予めマイクロコンピュータ２３に保存された燃圧毎のインジェクタ駆動時間−噴射量特性（図４参照）に基づき、目標噴射量に対応する駆動時間を算出する。続くステップＳ１０４で、内燃機関の運転状態に基づいて、各気筒の各噴射の駆動タイミングを算出する。続くステップＳ１０５で、各噴射の駆動時間、駆動タイミングから、各噴射の開始タイミングと終了タイミングを算出し、これらをマイクロコンピュータ２３に保存する。
【００５３】
従来技術では、このタイミングからインジェクタ駆動信号を生成し、通電制御部で各インジェクタ１０を駆動していたが、本実施の形態では、そのあとに続く燃圧推定演算タイミングで燃圧を推定し、一旦演算した各噴射の駆動時間を補正する。
【００５４】
次に、燃圧推定演算処理について説明する。図１０は、実施の形態１に係るインジェクタ制御装置の燃圧推定演算処理を示すフローチャートである。
図１０のステップＳ１０６において、現時刻（今回の燃圧推定演算タイミング）から、次の燃圧推定演算タイミングまでの間に、各気筒で駆動される、各噴射の開始タイミングと終了タイミングを抽出する。続くステップＳ１０７で、予測燃圧の初期化を行う。この時点での燃圧をセンサから読み取り、実際の燃圧Ｐｒｅａｌ、あるいは、燃圧Ｆ／Ｂ制御の目標燃圧Ｐｔｇｔを設定する。続くステップＳ１０８で、燃圧低下量Ｐｄｒｏｐの初期化を行い、０を設定する。
【００５５】
続くステップＳ１０９において、ステップＳ１０６で抽出した、全ての開始タイミングと終了タイミングを並び替え、駆動インジェクタ数が変化するタイミングを抽出する。なお、図８で示すと、タイミングＡ３からタイミングＡ８を抽出する。そして、この各タイミングについて、次のステップＳ１１０からステップＳ１１２までの処理を繰り返す。
【００５６】
ステップＳ１１０で、予測燃圧を算出する。１つ前のタイミング時点での、予測燃圧から燃圧低下量を減じて、今回のタイミングでの予測燃圧として保存する。続くステップＳ１１１で、燃圧低下量を算出する。最も簡便な方法では、噴射特性傾きＫと、次のタイミングまでの時間と、その区間での駆動インジェクタ数とを乗じて、今回のタイミングでの燃圧低下量として保存する。続くステップＳ１１２で、今回のタイミングが、あるイジェクタの噴射開始タイミングである場合、目標噴射量と、ステップＳ１１０で算出された予測燃圧とを用いて、図４から駆動時間を算出し、ステップＳ１０５で算出されていた駆動終了タイミングを更新する。なお、駆動開始タイミングは修正しない。
【００５７】
ステップＳ１０９において、全てのタイミングの処理を行ったあとは、エンドで終了する。
以上のように、開始タイミングが来た時、インジェクタ駆動信号生成部で駆動開始信号が生成され、上記で修正された終了タイミングが来た時、インジェクタ駆動信号生成部で駆動終了信号が生成され、結果として、修正された駆動時間のインジェクタ駆動が実現される。
【００５８】
本実施の形態では、図４で、目標噴射量から駆動時間に変換したが、これを目標噴射量から弁の開弁時間に変換して、さらに、駆動開始と弁の開き動作までの遅れ時間、駆動終了と弁の閉鎖までの遅れ時間、を用いて駆動時間を求めてもよい。開弁時間は駆動時間と比べ、燃料噴射量との相関性が高いためより正確な燃料推定値が算出可能となる。
【００５９】
以上詳述のように、実施の形態１に係るインジェクタ制御装置によれば、燃料噴射による燃圧低下を考慮してインジェクタ駆動時間を設定し、燃料噴射量を適正に制御することが可能となる。
【００６０】
なお、本願では、例示的な実施の形態が記載されているが、実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合が含まれるものとする。
【符号の説明】
【００６１】
１０  インジェクタ、１１  弁座、１２  ニードル弁、１３  ソレノイド、１４  フランジ、１５  可動子、１６  ゼロ位置スプリング、１７  主スプリング、１８  磁気コア、１９  ケース、２０  インジェクタ制御装置、２１  入力要素（燃圧センサ）、２２  出力要素、２３  マイクロコンピュータ、２４  入力回路、２５  出力回路、３０  スピル弁駆動タイミング算出部、３１  目標燃圧算出部、３２  実燃圧測定部、３３  スピル弁駆動信号生成部、３４  スピル弁通電制御部、３５  目標噴射量算出部、３６  燃圧上昇タイミング算出部、３７  燃圧上昇タイミング間の噴射抽出部、３８  予測燃圧算出部、
３９  インジェクタ駆動信号生成部、４０  インジェクタ通電制御部。
【図１】
2019190367.tif 000003
【図２】
2019190367.tif 000004
【図３】
2019190367.tif 000005
【図４】
2019190367.tif 000006
【図５】
2019190367.tif 000007
【図６】
2019190367.tif 000008
【図７】
2019190367.tif 000009
【図８】
2019190367.tif 000010
【図９】
2019190367.tif 000011
【図１０】
2019190367.tif 000012
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
内燃機関の気筒に燃料を噴射するインジェクタを駆動制御するインジェクタ制御装置であって、
上記インジェクタ制御装置はマイクロコンピュータを備え、
上記マイクロコンピュータは、上記内燃機関の状態に応じたインジェクタ駆動時間を算出して上記インジェクタを駆動すると共に、
上記内燃機関の状態に応じた目標燃圧を算出し、入力された実際の燃圧を上記目標燃圧にするように燃圧を上昇させる燃圧フィードバック制御を実行し、
前回の燃圧を上昇させた時間から次回に燃圧を上昇させる時間までの間に、上記気筒で開始される噴射開始タイミングの燃圧を、前回に上昇した燃圧から、少なくとも駆動時間とあらかじめ適合された係数を用いて算出された燃圧低下量を順次減算して推定し、推定された噴射開始タイミングの燃圧を用いて噴射の駆動時間を算出し、
上記インジェクタは、複数の気筒を備えた内燃機関のそれぞれの気筒に燃料を噴射するインジェクタであり、
上記インジェクタの燃料噴射期間が上記複数の気筒において重なる時は、上記燃料噴射期間の重複数が変化するごとに分割し、燃圧低下量を算出することを特徴とするインジェクタ制御装置。
【請求項２】
内燃機関の気筒に燃料を噴射するインジェクタを駆動制御するインジェクタ制御装置であって、
上記インジェクタ制御装置はマイクロコンピュータを備え、
上記マイクロコンピュータは、上記内燃機関の状態に応じたインジェクタ駆動時間を算出して上記インジェクタを駆動すると共に、
上記内燃機関の状態に応じた目標燃圧を算出し、入力された実際の燃圧を上記目標燃圧にするように燃圧を上昇させる燃圧フィードバック制御を実行し、
前回の燃圧を上昇させた時間から次回に燃圧を上昇させる時間までの間に、上記気筒で開始される噴射開始タイミングの燃圧を、前回に上昇した燃圧から、少なくとも駆動時間とあらかじめ適合された係数を用いて算出された燃圧低下量を順次減算して推定し、推定された噴射開始タイミングの燃圧を用いて噴射の駆動時間を算出し、
上記インジェクタは、一つの気筒に燃料を噴射するインジェクタであり、
上記インジェクタの燃料噴射期間が重なる時は、上記燃料噴射期間の重複数が変化するごとに分割し、燃圧低下量を算出することを特徴とするインジェクタ制御装置。
【請求項３】
上記前回の燃圧を上昇させた時間は、上記インジェクタに接続されたデリバリパイプへの供給燃料量を制御する燃圧制御アクチュエータの駆動終了タイミングに、予め設定した燃圧安定期間を加えたタイミングであることを特徴とする請求項１または２に記載のインジェクタ制御装置。
【手続補正２】
【補正対象書類名】明細書
【補正対象項目名】０００９
【補正方法】変更
【補正の内容】
【０００９】
本願に開示されるインジェクタ制御装置は、内燃機関の気筒に燃料を噴射するインジェクタを駆動制御するインジェクタ制御装置であって、上記インジェクタ制御装置はマイクロコンピュータを備え、
上記マイクロコンピュータは、上記内燃機関の状態に応じたインジェクタ駆動時間を算出して上記インジェクタを駆動すると共に、上記内燃機関の状態に応じた目標燃圧を算出し、入力された実際の燃圧を上記目標燃圧にするように燃圧を上昇させる燃圧フィードバック制御を実行し、前回の燃圧を上昇させた時間から次回に燃圧を上昇させる時間までの間に、上記気筒で開始される噴射開始タイミングの燃圧を、前回に上昇した燃圧から、少なくとも駆動時間とあらかじめ適合された係数を用いて算出された燃圧低下量を順次減算して推定し、推定された噴射開始タイミングの燃圧を用いて噴射の駆動時間を算出し、
上記インジェクタは、複数の気筒を備えた内燃機関のそれぞれの気筒に燃料を噴射するインジェクタであり、上記インジェクタの燃料噴射期間が上記複数の気筒において重なる時は、上記燃料噴射期間の重複数が変化するごとに分割し、燃圧低下量を算出する。
【手続補正３】
【補正対象書類名】明細書
【補正対象項目名】００４３
【補正方法】変更
【補正の内容】
【００４３】
図７を用いて、インジェクタ駆動時間Ｔｏｎが第２気筒と第１気筒で重複した場合の燃圧低下量Ｐｄｒｏｐの算出方法について説明する。
（１）まず、第２気筒と第１気筒において、目標噴射量から駆動時間を図４に基づいて算出し、図７（ａ）に示す第２気筒の駆動時間ｔ２と、図７（ｂ）に示す第１気筒の駆動時間ｔ１を得る。
（２）次に、第２気筒の駆動時間ｔ２と第１気筒の駆動時間ｔ１との重なりを抽出することにより、タイミングＡ３からＡ６が定まる。
（３）このタイミングＡ３からＡ６を回転数を用いて時間換算すると、時間Ｔ３からＴ６が得られ、第２気筒の駆動時間ｔ２１、ｔ２２と、第１気筒の駆動時間ｔ１１、ｔ１２が得られる。図７では、第２気筒のインジェクタ１０の噴射量をＱ２、第１気筒のインジェクタ１０の噴射量をＱ１として示している。
（４）最初の区間、即ち、タイミングＡ３までの区間から順次、タイミングＡ３からＡ４までの区間、タイミングＡ４からＡ５までの区間、タイミングＡ５からＡ６までの区間、タイミングＡ６以降の区間のそれぞれの区間において、最新の燃圧で駆動時間Ｔｏｎから燃圧低下量Ｐｄｒｏｐを図６に基づいて算出する。
（５）次に、この算出された燃圧低下量Ｐｄｒｏｐを直前の燃圧から減じて燃圧を更新する。これを繰り返して、タイミングＡ３からＡ６での燃圧を算出する。なお、第２気筒の駆動時間ｔ２２と、第１気筒の駆動時間ｔ１２の重なり区間であるタイミングＡ４からＡ５は、それぞれの燃圧低下量Ｐｄｒｏｐを加算する。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
内燃機関の気筒に燃料を噴射するインジェクタを駆動制御するインジェクタ制御装置であって、
上記インジェクタ制御装置はマイクロコンピュータを備え、
上記マイクロコンピュータは、上記内燃機関の状態に応じたインジェクタ駆動時間を算出して上記インジェクタを駆動すると共に、
上記内燃機関の状態に応じた目標燃圧を算出し、入力された実際の燃圧を上記目標燃圧にするように燃圧を上昇させる燃圧フィードバック制御を実行し、
前回の燃圧を上昇させた時間から次回に燃圧を上昇させる時間までの間に、上記気筒で開始される噴射開始タイミングの燃圧を、前回に上昇した燃圧から、少なくとも駆動時間と予め適合された係数を用いて算出された燃圧低下量を順次減算して推定し、推定された噴射開始タイミングの燃圧を用いて噴射の駆動時間を算出し、
上記インジェクタは、一つの気筒に燃料を噴射するインジェクタであり、
上記インジェクタから１回の燃料噴射量を分割して気筒内に噴射する場合で、分割期間が重なる時は、上記分割期間の重複数が変化するごとに分割して燃圧低下量を算出することを特徴とするインジェクタ制御装置。
【請求項２】
上記前回の燃圧を上昇させた時間は、上記インジェクタに接続されたデリバリパイプへの供給燃料量を制御する燃圧制御アクチュエータの駆動終了タイミングに、予め設定した燃圧安定期間を加えたタイミングであることを特徴とする請求項１に記載のインジェクタ制御装置。
【手続補正２】
【補正対象書類名】明細書
【補正対象項目名】０００９
【補正方法】変更
【補正の内容】
【０００９】
本願に開示されるインジェクタ制御装置は、内燃機関の気筒に燃料を噴射するインジェクタを駆動制御するインジェクタ制御装置であって、上記インジェクタ制御装置はマイクロコンピュータを備え、
上記マイクロコンピュータは、上記内燃機関の状態に応じたインジェクタ駆動時間を算出して上記インジェクタを駆動すると共に、上記内燃機関の状態に応じた目標燃圧を算出し、入力された実際の燃圧を上記目標燃圧にするように燃圧を上昇させる燃圧フィードバック制御を実行し、前回の燃圧を上昇させた時間から次回に燃圧を上昇させる時間までの間に、上記気筒で開始される噴射開始タイミングの燃圧を、前回に上昇した燃圧から、少なくとも駆動時間とあらかじめ適合された係数を用いて算出された燃圧低下量を順次減算して推定し、推定された噴射開始タイミングの燃圧を用いて噴射の駆動時間を算出し、
上記インジェクタは、一つの気筒に燃料を噴射するインジェクタであり、上記インジェクタから１回の燃料噴射量を分割して気筒内に噴射する場合で、分割期間が重なる時は、上記分割期間の重複数が変化するごとに分割して燃圧低下量を算出する。
【手続補正３】
【補正対象書類名】明細書
【補正対象項目名】００１０
【補正方法】変更
【補正の内容】
【００１０】
本願に開示されるインジェクタ制御装置によれば、内燃機関の一つの気筒への直前の燃圧噴射による燃圧低下を考慮して噴射開始時の燃圧を推定し、インジェクタ駆動時間を設定するので、燃料噴射量を適正に制御することが可能となる。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
内燃機関の気筒に燃料を噴射するインジェクタを駆動制御するインジェクタ制御装置であって、
上記インジェクタ制御装置はマイクロコンピュータを備え、
上記マイクロコンピュータは、上記内燃機関の状態に応じたインジェクタ駆動時間を算出して上記インジェクタを駆動すると共に、
上記内燃機関の状態に応じた目標燃圧を算出し、入力された実際の燃圧を上記目標燃圧にするように燃圧を上昇させる燃圧フィードバック制御を実行し、
前回の燃圧を上昇させた時間から次回に燃圧を上昇させる時間までの間に、上記気筒で開始される噴射開始タイミングの燃圧を、前回に上昇した燃圧から、少なくとも駆動時間と予め適合された係数を用いて算出された燃圧低下量を順次減算して推定し、推定された噴射開始タイミングの燃圧を用いて噴射の駆動時間を算出し、
上記インジェクタは、一つの気筒に燃料を噴射するインジェクタであり、
上記インジェクタから１回の燃料噴射量を分割して気筒内に噴射する場合で、分割期間が他の気筒の噴射と重なる時は、上記分割期間の重複数が変化するごとに分割して燃圧低下量を算出することを特徴とするインジェクタ制御装置。
【請求項２】
上記前回の燃圧を上昇させた時間は、上記インジェクタに接続されたデリバリパイプへの供給燃料量を制御する燃圧制御アクチュエータの駆動終了タイミングに、予め設定した燃圧安定期間を加えたタイミングであることを特徴とする請求項１に記載のインジェクタ制御装置。
【手続補正２】
【補正対象書類名】明細書
【補正対象項目名】０００９
【補正方法】変更
【補正の内容】
【０００９】
本願に開示されるインジェクタ制御装置は、内燃機関の気筒に燃料を噴射するインジェクタを駆動制御するインジェクタ制御装置であって、上記インジェクタ制御装置はマイクロコンピュータを備え、
上記マイクロコンピュータは、上記内燃機関の状態に応じたインジェクタ駆動時間を算出して上記インジェクタを駆動すると共に、上記内燃機関の状態に応じた目標燃圧を算出し、入力された実際の燃圧を上記目標燃圧にするように燃圧を上昇させる燃圧フィードバック制御を実行し、前回の燃圧を上昇させた時間から次回に燃圧を上昇させる時間までの間に、上記気筒で開始される噴射開始タイミングの燃圧を、前回に上昇した燃圧から、少なくとも駆動時間とあらかじめ適合された係数を用いて算出された燃圧低下量を順次減算して推定し、推定された噴射開始タイミングの燃圧を用いて噴射の駆動時間を算出し、
上記インジェクタは、一つの気筒に燃料を噴射するインジェクタであり、上記インジェクタから１回の燃料噴射量を分割して気筒内に噴射する場合で、分割期間が他の気筒の噴射と重なる時は、上記分割期間の重複数が変化するごとに分割して燃圧低下量を算出する。
【手続補正３】
【補正対象書類名】明細書
【補正対象項目名】００１０
【補正方法】変更
【補正の内容】
【００１０】
本願に開示されるインジェクタ制御装置によれば、内燃機関の一つの気筒への直前の燃圧噴射による燃圧低下を考慮して噴射開始時の燃圧を推定し、インジェクタ駆動時間を設定するので、燃料噴射量を適正に制御することが可能となる。